(57)【特許請求の範囲】
【請求項１】
左右の中空の縦枠によって規定された開口部に、各縦枠内に配された昇降機構にそれぞれの各横端部で連結されて並置された多数のスラットを当該昇降機構により昇降させて開口部を開閉するように構成されており、縦枠とスラットの両横端面との間の各隙間を前面外側から覆うカバーを、縦枠のそれぞれに取り付け部材を介して取り付けてなるブラインド装置であって、取り付け部材は、縦枠の前面壁部に固着された板状の本体部と、縦枠の前面壁部から突出するように、本体部に一体的に形成された一対の嵌合片部とを具備しており、カバーは、前面板部と、前面板部の一縁に形成されていると共に縦枠の外側に位置する一方の側面板部と、この一方の側面板部に対向して配されており、前面板部の他縁に形成されていると共に縦枠の内側に位置する他方の側面板部と、前面板部に対向して配されており、一方の側面板部の途中に形成された一方の後面板部と、前面板部に対向して配されており、他方の側面板部に形成された他方の後面板部と、両後面板部の対向縁部にそれぞれ形成されていると共に取り付け部材の嵌合片部にスナップフィット式に嵌合する一対の嵌合部と、一方の側面板部の後縁部からほぼ直角に曲折されていると共に縦枠の外側の側面壁部に当接する曲折縁部と、他方の後面板部に形成されていると共に縦枠の内側の側面壁部に当接する突起とを具備しており、一対の嵌合片部は、本体部から前方にほぼ直角に曲折された突出辺部と、この突出辺部から一体的に斜め方向に曲折されていると共に一対の嵌合部を係止する係止辺部と、この係止辺部から一体的に前方にほぼ直角に曲折された導入辺部とを具備しているブラインド装置。
【請求項２】
両後面板部のそれぞれは、縦枠の前面壁部に当接している請求項１に記載のブラインド装置。
【請求項３】
取り付け部材は、板状のばね材から一体形成されてなる請求項１又は２に記載のブラインド装置。
【請求項４】
取り付け部材は、アルミニウムから一体形成されてなる請求項１又は２に記載のブラインド装置。
【請求項５】
取り付け部材は、その本体部においてねじにより縦枠の前面壁部に固着されている請求項１から４のいずれか一項に記載のブラインド装置。
【請求項６】
請求項１から５のいずれか一項に記載のブラインド装置に用いられるためのカバー。
【発明の詳細な説明】
【０００１】
【発明の属する技術分野】
本発明は、ブラインド装置、特に、銀行等のＡＴＭの出入口、店舗若しくは商店等の出入口若しくはショーウインド又は住居、別荘若しくは事務所等の窓若しくは出入口等の開口部に配されて好適なブラインド装置に関する。
【０００２】
【発明が解決しようとする課題】
この種のブラインド装置としては、例えば、実開平３−８７７９３号公報等において提案されているものがある。この提案のブラインド装置は、左右の中空の縦枠によって規定された開口部に、当該左右の中空の縦枠内に配されたチェーン、リンク機構等の昇降機構を具備した昇降装置の当該リンク機構にそれぞれの両横端部が連結されて並置された多数のスラットを、チェーンの走行により昇降させて開口部を開閉するように構成されている。
【０００３】
かかるブラインド装置では、縦枠とスラットの両横端面との間に、スラットの昇降を可能とするために、通常、微小の隙間が設けられるが、この隙間を介して内部が外部から見えたり、隙間風が入ったり、更には、この隙間により美観を損ねる虞もある。したがって、この隙間を覆うカバーを設けるのが好ましいが、これを単にねじ等により縦枠に取り付けようとすると、この取り付けねじによりまた美観を損ねる虞が生じる。
【０００４】
本発明は、前記諸点に鑑みてなされたものであって、その目的とするところは、縦枠とスラットの両横端面との間の隙間を、美観を損ねることなしに、カバーにより前面外側から覆ってなり、これにより隙間を介して内部が外部から見えたり、隙間風が入ったりしないようにし得るブラインド装置を提供することにある。
【０００５】
本発明の他の目的とするところは、上記のブラインド装置において、縦枠に容易、簡単に取り付け、取り外し得、而して、ブラインド装置の組み立て、分解、保守、修理等を極めて容易にし得るカバーとこのカバーの取り付け部材とを提供することにある。
【０００６】
【課題を解決するための手段】
本発明のブラインド装置は、左右の中空の縦枠によって規定された開口部に、各縦枠内に配された昇降機構にそれぞれの各横端部で連結されて並置された多数のスラットを当該昇降機構により昇降させて開口部を開閉するように構成されており、縦枠とスラットの両横端面との間の各隙間を前面外側から覆うカバーを、縦枠のそれぞれに取り付け部材を介して取り付けてなるブラインド装置であって、取り付け部材は、縦枠の前面壁部に固着された板状の本体部と、縦枠の前面壁部から突出するように、本体部に一体的に形成された一対の嵌合片部とを具備しており、カバーは、取り付け部材の嵌合片部にスナップフィット式に嵌合した一対の嵌合部を具備している。
【０００７】
本ブラインド装置において、カバーは、前面板部と、この前面板部の一縁に一体的に形成された一方の側面板部と、この一方の側面板部に対向して配されており、前面板部の他縁に一体的に形成された他方の側面板部と、前面板部に対向して配されており、一方の側面板部に一体的に形成された一方の後面板部と、前面板部に対向して配されており、他方の側面板部に一体的に形成された他方の後面板部とを具備しており、一対の嵌合部は、両後面板部の対向縁部に一体的に形成されており、両後面板部のそれぞれは、縦枠の前面壁部に当接している。
【０００８】
本発明においては、嵌合片部は、本体部から前方にほぼ直角に曲折された突出辺部と、この突出辺部から一体的に斜め方向に曲折された係止辺部と、この係止辺部から一体的に前方にほぼ直角に曲折された導入辺部とを具備している。また、取り付け部材は、板状のばね材又はアルミニウムから一体形成されてなり、その本体部においてねじにより縦枠の前面壁部に固着されている。
【０００９】
一方の後面板部は、本発明では、一方の側面板部の途中に一体的に形成されており、カバーは、一方の側面板部の後縁部からほぼ直角に曲折されていると共に縦枠の外側の側面壁部に当接する曲折縁部と、他方の後面板部に形成されていると共に縦枠の内側の側面壁部に当接する突起とを具備している。
【００１０】
また本発明によれば、以上のブラインド装置に用いられる取り付け部材であって、板状の本体部と、この板状本体に一体的に形成された一対の嵌合片部とを具備している取り付け部材及び同じく以上のブラインド装置に用いられるカバーであって、取り付け部材の嵌合片部にスナップフィット式に嵌合するための一対の嵌合部を具備しているカバーがそれぞれ提供される。
【００１１】
【発明の実施の形態】
次に本発明及びその実施の形態を、図に示す好ましい実施例に基づいて更に詳細に説明する。なお、本発明はこれら実施例に何等限定されないのである。
【００１２】
【実施例】
図１から図４において、本例のブラインド装置１は、中空の左右の縦枠２及び３によって規定された開口部４に並置された多数のスラット５を昇降装置６の昇降機構により昇降させて開口部４を開閉するように構成されている。ブラインド装置１は、また、開口部４の両端に配された縦枠２及び３とスラット５の両横端面８及び９との間の各隙間１０及び１１のそれぞれを前面外側から覆うカバー１２及び１３と、縦枠２及び３のそれぞれを支持する支持枠１５及び１６とを具備している。
【００１３】
昇降装置６は、縦枠２に支持された電動モータ２１、縦枠２及び３に回転自在に支持されており、電動モータ２１の出力回転軸の回転が伝達される伝達軸２２、伝達軸２２の各端に固着されたスプロケットホイール２３及び２４、スプロケットホイール２３及び２４に掛けられていると共に縦枠２及び３内に配されて、スプロケットホイール２３及び２４の回転により走行されるチエーン２５及び２６、チエーン２５及び２６のそれぞれに連結されて、チエーン２５及び２６の走行により伸縮されるように、縦枠２及び３内に配されたリンク機構（図示せず）並びにスラット５を水平回動位置及び垂直回動位置に設定するチルト機構（図示せず）等を具備しており、縦枠２及び３内に配された上記のリンク機構のそれぞれに各スラット５の対応する横端部２７及び２８が連結部材２９及び３０を介して取り付けられている。このようなチエーン２５及び２６、リンク機構等からなる昇降機構を具備した昇降装置６は、実開平３−８７７９３号公報等に開示されており、その詳細な説明は省略する。
【００１４】
各スラット５は、前面に対して凸な部分３１と、後面に対して凸な部分３２とを一体的に有しており、凸な部分３１の横方向両端部の後面には取り付け具３３が嵌着されている。連結具２９と３０とは、同様に形成されており、連結具３０について説明すると、連結具３０は、板状の一端部３４と、一端部３４のほぼ中央部に一体的に形成された中央軸３５と、中央軸に３５に一体的に形成されたアーム３６と、アーム３６の両端に一体的に形成された連結軸３７及び３８とを具備しており、各スラット５の横端部２８における取り付け具３３と部分３１との間３９に一端部３４が嵌挿され、連結軸３７及び３８が縦枠３内の上記リンク機構に連結されて、用いられる。連結具２９もまた、各スラット５の横端部２７において同様に用いられる。連結具２９及び３０のそれぞれの中央軸３５は、縦枠２及び３のそれぞれに形成されたスリット４０及び４１を通って配される。このようにして各スラット５は、縦枠２及び３内のそれぞれに配された昇降機構にそれぞれの横端部２７及び２８で連結具２９及び３０を介して連結されており、当該昇降機構により昇降されるように構成されている。
【００１５】
カバー１２と１３とは、同様に形成されており、カバー１２について説明すると、カバー１２は、前面板部５１と、前面板部５１の一縁に一体的に形成された一方の側面板部５２と、側面板部５２に対向して配されており、前面板部５１の他縁に一体的に形成された他方の側面板部５３と、前面板部５１に対向して配されており、一方の側面板部５２の途中に一体的に形成された一方の後面板部５４と、前面板部５１に対向して配されており、他方の側面板部５３に一体的に形成された他方の後面板部５５と、両後面板部５４及び５５の対向縁部にそれぞれ一体的に形成された一対の嵌合部５６及び５７と、一方の側面板部５２の後縁部からほぼ直角に曲折された曲折縁部５８と、後面板部５４の途中に一体的に形成された位置決め用の突起５９とを具備している。
【００１６】
後面板部５５は、他方の側面板部５３の一縁から一体的に前面板部５１とほぼ平行に延びた後面板部本体６０と、後面板部本体６０の一縁から一体的にほぼ直角に延びた直角部６１と、直角部６１の一縁から一体的に前面板部５１とほぼ平行に延びた当接部６２とを具備している。後面板部５４の先端部及び後面板部５５の当接部６２並びに突起５９のそれぞれは、縦枠２の前面壁部７１及び側面壁部７２にそれぞれ当接しており、曲折縁部５８の先端は、縦枠２の側面壁部７２に当接している。カバー１２及び１３は、縦枠２及び３のそれぞれに取り付け部材７５及び７６を介して取り付けられている。
【００１７】
取り付け部材７５と７６とは、同様に構成されており、取り付け部材７５について説明すると、取り付け部材７５は、縦枠２の前面壁部７１にねじ７７などにより固着された板状の本体部７８と、縦枠２の前面壁部７１から突出するように、本体部７８に一体的に形成された一対の嵌合片部７９及び８０とを具備している。本例では、取り付け部材７５は、板状のばね材から一体形成されてなり、嵌合片部７９及び８０のそれぞれは、本体部７４から前方にほぼ直角に曲折された突出辺部８１及び８２と、突出辺部８１及び８２のそれぞれから一体的に斜め方向に曲折された係止辺部８３及び８４と、係止辺部８３及び８４のそれぞれから一体的に前方にほぼ直角に曲折された導入辺部８５及び８６とを具備している。
【００１８】
カバー１２及び１３のそれぞれは、その一対の嵌合部５６及び５７が、対応の取り付け部材７５及び７６の嵌合片部７９及び８０にスナップフィット式に嵌合して、これにより対応の取り付け部材７５及び７６を介して縦枠２及び３に取り付けられている。
【００１９】
支持枠１５と１６とは、同様に構成されており、支持枠１５について説明すると、支持枠１５において、その一縁部９１が縦枠２の後面壁部９２に一体的に形成された鈎状突起９３と当該後面壁部９２との間の嵌合溝に嵌入されて、その他縁部９４が後面壁部９２に一体的に形成された突起９５にねじ９６により固着されており、その後壁９７が建物の壁などにねじ９８により固定されるようになっており、これにより、縦枠２は、支持枠１５を介して建物の壁などに支持、固定されるようになっている。
【００２０】
なお、ブラインド装置１には、更に、図示しないが電動モータ２１、伝達軸２２などを覆う上部カバー、開口部４の上部を覆う化粧カバーなどが必要に応じて設けられる。
【００２１】
以上のブラインド装置１では、例えば、開口部としてのショーウインドに設置される。昇降装置６により多数のスラット５を上昇させて上方に重ね合わせて束ねることにより、ショーウインドを開放することができ、逆に上方に重ね合わされて束ねられた多数のスラット５を、昇降装置６によりその重ね合わせを解除するようにして、順次下降させることにより、ショーウインドを閉鎖することができる。閉鎖状態において、チルト機構の作動によりスラット５が水平回動位置（簾状位置）及び垂直回動位置（完全目隠し位置）に設定される。
【００２２】
ブラインド装置１では、隙間１０及び１１のそれぞれは、美観を損ねることなしに、カバー１２及び１３により覆われているため、隙間１０及び１１を介して内部が外部から見えたり、隙間風が入ったりしないようにし得る。また、カバー１２及び１３のそれぞれは、その一対の嵌合部５６及び５７が、対応の取り付け部材７５及び７６の導入辺部８５及び８６を介して嵌合片部７９及び８０にスナップフィット式に嵌合して、対応の取り付け部材７５及び７６に取り付けられているため、ブラインド装置１の組み立て、分解、保守、修理等を極めて容易に行い得る。
【００２３】
ところで上記例では、取り付け部材７５及び７６を板状のばね材からなるもので構成したが、これを図５に示すように、アルミニウムから一体形成されてなるものから構成してもよい。図５に示すアルミニウムからなる他方の取り付け部材１００は、取り付け部材７５及び７６と同様に、縦枠３の前面壁部７１にねじなどにより固着された板状の本体部１０１と、縦枠３の前面壁部７１から突出するように、本体部１０１に一体的に形成された一対の嵌合片部１０２及び１０３とを具備しており、嵌合片部１０２及び１０３のそれぞれは、本体部１０１から前方にほぼ直角に曲折された突出辺部１０４及び１０５と、突出辺部１０４及び１０５のそれぞれから一体的に斜め方向に曲折された係止辺部１０６及び１０７と、係止辺部１０６及び１０７のそれぞれから一体的に前方にほぼ直角に曲折された導入辺部１０８及び１０９とを具備している。
【００２４】
以上の取り付け部材１００に対しても、カバー１３は、その一対の嵌合部５６及び５７が、導入辺部１０８及び１０９を介して嵌合片部１０２及び１０３にスナップフィット式に嵌合して取り付けられる。
【００２５】
なお、図５に示すカバー１３の一対の嵌合部５６及び５７のそれぞれは、突出辺部１０４及び１０５のそれぞれと係止辺部１０６及び１０７のそれぞれとの間の段部に、先端がそれぞれ当接する断面ほぼ三角形状の突起部１１０及び１１１と、導入辺部１０８及び１０９のそれぞれを収容して、導入辺部１０８及び１０９のそれぞれの先端が当接する断面Ｌ字状の鈎部１１３及び１１４とを有している。また、本例のカバー１３は、突起５９の代わりに、縦枠３の内側の側面壁部１２１に当接する位置決め用の突起１２２を具備しており、突起１２２は、直角部６１に一体的に形成されている。
【００２６】
図５に示す取り付け部材１００及びカバー１３でも、前記と同様の効果を得ることができ、加えて、カバー１２及び１３を縦枠２及び３に更に強固に取り付けることができる。
【００２７】
【発明の効果】
以上のように本発明によれば、縦枠とスラットの両横端面との間の隙間を、美観を損ねることなしに、カバーにより前面外側から覆うことができ、これにより隙間を介して内部が外部から見えたり、隙間風が入ったりしないようにし得、また、縦枠に容易、簡単に取り付け、取り外し得、而して、ブラインド装置の組み立て、分解、保守、修理等を極めて容易にし得るカバーとこのカバーの取り付け部材とを提供することができる。
【図面の簡単な説明】
【図１】本発明の好ましい一実施例の斜視図である。
【図２】図１に示す実施例の平面説明図である。
【図３】図１に示すスラット等の拡大斜視図である。
【図４】図１に示す実施例の取り付け部材の斜視図である。
【図５】本発明の好ましい他の実施例の一部の平面説明図である。
【符号の説明】
１  ブラインド装置
２、３  縦枠
４  開口部
５  スラット
６  昇降装置
１２、１３  カバー
５６、５７  嵌合部
７５、７６  取り付け部材
７９、８０  嵌合片部
【図１】
0003804170.tif 000002
【図２】
0003804170.tif 000003
【図３】
0003804170.tif 000004
【図４】
0003804170.tif 000005
【図５】
0003804170.tif 000006